(57)【要約】      （修正有）【課題】クライアント端末機の３．５インチベイの空き領域に配置し、転倒や落下を防止するとともに故障しにくいサーバとして活用できる箱形コンピュータを提供する。【解決手段】箱形コンピュータ１００は、筺体の前面、背面および上面を構成するコの字型の上部筺体１０と、筺体の左側面、右側面および底面を構成するコの字型の下部筺体１２とにより構成する。下部筺体１２は、３．５インチ型のハードディスクの外形と同一の形状および寸法とする。上部筺体１０は、下部筺体１２と同程度の形状および寸法を有し、幅が下部筺体１２よりも若干小さくする。上部筺体１０は、下部筺体１２の内側に嵌合し、ネジ等により下部筺体１２に固定される。筺体は、上部筺体１０と下部筺体１２とで構成されている。筺体の表面は、放熱のための凹凸が設けられてなく平坦とする。また、筺体は、放熱のために通風口が設けられてなく密閉構造とする。【選択図】図３
0003157041.tif 000002
【実用新案登録請求の範囲】
【請求項１】
３．５インチ型のハードディスクの外形と同一の形状および寸法の筐体と、
前記筐体内に収容された汎用コンピュータとを備え、
前記汎用コンピュータは、
プログラムおよび入力手段からの入力内容に基づいて演算を行う演算手段と、
前記プログラムを記憶する第１記憶手段と、
前記演算手段の演算結果を記憶する第２記憶手段と、
前記第２記憶手段の演算結果に基づいて表示手段を制御する表示制御手段と、
前記筐体の表面に露出し、前記演算手段と前記入力手段との間でデータの伝送を媒介する第１インターフェースと、
前記筐体の表面に露出し、前記表示制御手段と前記表示手段との間でデータの伝送を媒介する第２インターフェースとを備えることを特徴とする３．５インチ形状を有する箱形コンピュータ。
【請求項２】
請求項１において、
前記汎用コンピュータは、さらに、
前記演算手段の放熱を行うヒートシンクを備え、
前記ヒートシンクは、前記筐体の内面に面接触していることを特徴とする３．５インチ形状を有する箱形コンピュータ。
【請求項３】
請求項２において、
前記ヒートシンクは、前記筐体の底面の裏面に面接触していることを特徴とする３．５インチ形状を有する箱形コンピュータ。
【請求項４】
請求項１ないし３のいずれか１項において、
さらに、前記汎用コンピュータに電力を供給するための電源コネクタを備え、
前記電源コネクタは、前記第１インターフェースおよび前記第２インターフェースが露出する前記筐体の面とは反対側の面に設けられていることを特徴とする３．５インチ形状を有する箱形コンピュータ。
【考案の詳細な説明】
【技術分野】
【０００１】
本考案は、箱形コンピュータに係り、特に、３．５インチベイの空き領域を有効に活用することができ、転倒や落下を防止するとともに故障しにくい３．５インチ形状を有する箱形コンピュータに関する。
【背景技術】
【０００２】
従来、小型のコンピュータとしては、例えば、ラックに搭載可能な薄型サーバ（特許文献１）、またはカード形状を有するコンピュータ（特許文献２）が知られている。
【先行技術文献】
【特許文献】
【０００３】
【特許文献１】特開２００６−６４３号公報
【特許文献２】特開平７−９８６２０号公報
【考案の概要】
【考案が解決しようとする課題】
【０００４】
ところで、クライアントサーバシステムを構築する場合は、クライアントを設置するスペースのほかに、サーバを設置するスペースを確保しなければならない。サーバとして特許文献１、２記載の小型のコンピュータを用いた場合は、設置スペースは小さくてすむが、それでも設置スペースは必要となる。
【０００５】
一方、クライアントとして用いられるデスクトップ型コンピュータ等の内部には、内蔵機器や周辺機器を収容するための３．５インチベイが設けられている。３．５インチベイには、コンピュータの機能を将来的に拡張するため、いくつかの空き領域（空きスロット）が用意されている。このような空き領域を利用してサーバを設置することができれば、サーバの設置スペースをわざわざ確保しなくてもすむ。
【０００６】
しかしながら、特許文献１、２には、３．５インチベイの空き領域に着目した思想がまったく開示されていないため、３．５インチベイの空き領域を有効に活用することができないという問題があった。すなわち、特許文献１記載のコンピュータにあっては、３．５インチベイに収容するには大きすぎるという問題があった。これに対し、特許文献２記載のコンピュータにあっては、３．５インチベイよりも小さく、収容することは一応可能であるが、３．５インチベイに取り付けることができないため、姿勢が不安定となり、コンピュータの内部で転倒したり落下したりする可能性があるという問題があった。また、３．５インチベイに周辺機器等が設置されている場合は、周辺機器等の上に直接設置することが想定されるが、この場合、周辺機器等が発熱や振動をするものであれば、故障の原因になるという問題もあった。
【０００７】
これらの問題は、クライアントサーバシステムを構築する場合に限らず、組込システムにおいてコンピュータの設置スペースを確保する場合にも同様に想定される。
【０００８】
そこで、本考案は、このような従来の技術の有する未解決の課題に着目してなされたものであって、３．５インチベイの空き領域を有効に活用することができ、転倒や落下を防止するとともに故障しにくい３．５インチ形状を有する箱形コンピュータを提供することを目的としている。
【課題を解決するための手段】
【０００９】
〔考案１〕  上記目的を達成するために、考案１の３．５インチ形状を有する箱形コンピュータは、３．５インチ型のハードディスクの外形と同一の形状および寸法の筐体と、前記筐体内に収容された汎用コンピュータとを備え、前記汎用コンピュータは、プログラムおよび入力手段からの入力内容に基づいて演算を行う演算手段と、前記プログラムを記憶する第１記憶手段と、前記演算手段の演算結果を記憶する第２記憶手段と、前記第２記憶手段の演算結果に基づいて表示手段を制御する表示制御手段と、前記筐体の表面に露出し、前記演算手段と前記入力手段との間でデータの伝送を媒介する第１インターフェースと、前記筐体の表面に露出し、前記表示制御手段と前記表示手段との間でデータの伝送を媒介する第２インターフェースとを備える。
【００１０】
ここで、筐体の表面に露出するとは、第１インターフェースおよび第２インターフェースが筐体の表面から突出する状態、および筐体の表面に形成された開口部に内部から臨み、外部から見える状態を含む。
【００１１】
〔考案２〕  さらに、考案２の３．５インチ形状を有する箱形コンピュータは、考案１の３．５インチ形状を有する箱形コンピュータにおいて、前記汎用コンピュータは、さらに、前記演算手段の放熱を行うヒートシンクを備え、前記ヒートシンクは、前記筐体の内面に面接触している。
【００１２】
〔考案３〕  さらに、考案３の３．５インチ形状を有する箱形コンピュータは、考案２の３．５インチ形状を有する箱形コンピュータにおいて、前記ヒートシンクは、前記筐体の底面の裏面に面接触している。
【００１３】
〔考案４〕  さらに、考案４の３．５インチ形状を有する箱形コンピュータは、考案１ないし３のいずれか１の３．５インチ形状を有する箱形コンピュータにおいて、さらに、前記汎用コンピュータに電力を供給するための電源コネクタを備え、前記電源コネクタは、前記第１インターフェースおよび前記第２インターフェースが露出する前記筐体の面とは反対側の面に設けられている。
【考案の効果】
【００１４】
以上説明したように、考案１の３．５インチ形状を有する箱形コンピュータによれば、３．５インチ型のハードディスクの外形と同一の形状および寸法を有するので、３．５インチベイに取り付けることができる。したがって、３．５インチベイの空き領域を有効に活用することができるという効果が得られる。また、３．５インチベイに取り付けることができるので、転倒したり落下したりする可能性を低減することができるという効果が得られる。さらに、周辺機器等の上に直接設置する必要がないので、周辺機器等の発熱や振動により故障する可能性を低減することができるという効果が得られる。
【００１５】
さらに、考案２の３．５インチ形状を有する箱形コンピュータによれば、ヒートシンクが筐体の内面に面接触しているので、筐体を通じて演算手段の放熱を効果的に行うことができる。したがって、演算手段のスペックによっては、放熱のための凹凸を筐体の表面に設けなくてもすむので、筐体の内部スペースを大きくすることができるという効果が得られる。また、演算手段のスペックによっては、放熱のための通風口を筐体の表面に設けなくてもすむので、防塵性および防滴性を向上することができるという効果が得られる。
【００１６】
さらに、考案３の３．５インチ形状を有する箱形コンピュータによれば、３．５インチベイに取り付けた場合、筐体の底面が３．５インチベイに接触することとなる一方、ヒートシンクが筐体の底面の裏面に面接触しているので、筐体および３．５インチベイを通じて演算手段の放熱を行うことができる。したがって、演算手段の放熱をさらに効果的に行うことができるという効果が得られる。
【００１７】
さらに、考案４の３．５インチ形状を有する箱形コンピュータによれば、電源コネクタが、第１インターフェースおよび第２インターフェースが露出する筐体の面とは反対側の面に設けられているので、第１インターフェースおよび第２インターフェースを介して伝送されるデータが電源ノイズの影響を受ける可能性を低減することができるという効果が得られる。
【図面の簡単な説明】
【００１８】
【図１】箱形コンピュータ１００の前面斜視図である。
【図２】箱形コンピュータ１００の背面斜視図である。
【図３】箱形コンピュータ１００の分解斜視図である。
【図４】箱形コンピュータ１００の機能を示す機能ブロック図である。
【考案を実施するための形態】
【００１９】
以下、本考案の実施の形態を図面を参照しながら説明する。図１ないし図４は、本考案に係る３．５インチ形状を有する箱形コンピュータの実施の形態を示す図である。
【００２０】
まず、箱形コンピュータ１００の外観構成を説明する。
図１は、箱形コンピュータ１００の前面斜視図である。
【００２１】
図２は、箱形コンピュータ１００の背面斜視図である。
箱形コンピュータ１００は、図１および図２に示すように、筐体の前面、背面および上面を構成するコの字型の上部筐体１０と、筐体の左側面、右側面および底面を構成するコの字型の下部筐体１２とを有して構成されている。
【００２２】
下部筐体１２は、３．５インチ型のハードディスクの外形と同一の形状および寸法を有している。上部筐体１０は、下部筐体１２と同程度の形状および寸法を有し、幅が下部筐体１２よりも若干小さくなっている。上部筐体１０は、下部筐体１２の内側に嵌合し、ネジ等により下部筐体１２に固定されている。筐体は、上部筐体１０と下部筐体１２とで構成されている。筐体の表面は、放熱のための凹凸が設けられてなく平坦となっている。また、筐体は、放熱のための通風口が設けられてなく密閉構造となっている。
【００２３】
筐体の前面右部には、開口部１４が形成されている。開口部１４は、ＬＡＮコネクタ２４および２つのＵＳＢ（Universal Serial Bus）コネクタ２６ａ、２６ｂがちょうど露出可能な形状および寸法を有している。そして、開口部１４からは、ＬＡＮコネクタ２４およびＵＳＢコネクタ２６ａ、２６ｂが露出している。
【００２４】
筐体の前面であって開口部１４の左方には、開口部１６が形成されている。開口部１６は、ＨＤＭＩ（High-Definition Multimedia Interface）端子等のディスプレイコネクタ２８がちょうど露出可能な形状および寸法を有している。そして、開口部１６からは、ディスプレイコネクタ２８が露出している。
【００２５】
一方、筐体の背面右部には、開口部１８が形成されている。開口部１８は、電源コネクタ３０がちょうど露出可能な形状および寸法を有している。そして、開口部１８からは、電源コネクタ３０が露出している。したがって、電源コネクタ３０は、筐体の中心に対し、ＬＡＮコネクタ２４と点対称の位置に設けられている。電源コネクタ３０には、例えば、ハードディスク用の電源コネクタ（例えば、１２[V]の電源コネクタ）と接続する電源プラグ（以下、コネクタ変換プラグという。）が接続される。
【００２６】
一方、筐体の左側面には、箱形コンピュータ１００を３．５インチベイに固定するための雄ねじを螺合する雌ねじが形成されている。雌ねじは３つあり、箱形コンピュータ１００を３．５インチベイに取り付けた場合に、３．５インチベイのねじ穴に対向する位置に形成されている。具体的には、筐体の背面側の端部から前方向にそれぞれ、２８．５[mm]、７０．１[mm]、１３０．１[mm]の位置に形成されている。また、筐体の右側面にも、同様に３つの雌ねじが形成されている。
【００２７】
次に、箱形コンピュータ１００の内部構成を説明する。
図３は、箱形コンピュータ１００の分解斜視図である。
【００２８】
筐体内には、汎用コンピュータが収容されている。汎用コンピュータは、図３に示すように、キャリアカード７０と、ＣＰＵ（Central Processing Unit）カード７２とを有して構成されている。
【００２９】
筐体の上面の裏面である内面（以下、上内面という。）には、キャリアカード７０が取り付けられている。キャリアカード７０は、ネジにより上部筐体１０に固定されている。キャリアカード７０には、ＬＡＮコネクタ２４、ＵＳＢコネクタ２６ａ、２６ｂ、ディスプレイコネクタ２８、電源コネクタ３０その他の素子が搭載されている。
【００３０】
キャリアカード７０の底面には、ＣＰＵカード７２が取り付けられている。ＣＰＵカード７２は、所定の取付具によりキャリアカード７０に固定されている。ＣＰＵカード７２には、ＣＰＵ（後述：５０）、ＲＯＭ（Read Only Memory）（後述：５２）、ＲＡＭ（Random Access Memory）（後述：５４）その他の素子が搭載されている。
【００３１】
ＣＰＵカード７２の底面には、ヒートシンク７４が取り付けられている。ヒートシンク７４は、ネジによりＣＰＵカード７２に固定されている。ヒートシンク７４の上面は、ＣＰＵ（後述：５０）の底面に面接触している。一方、ヒートシンク７４の底面は、筐体の底面の裏面である内面（以下、下内面という。）に面接触している。すなわち、ヒートシンク７４の高さは、上部筐体１０を下部筐体１２に嵌合した場合に、ヒートシンク７４の底面が下内面に面接触するように設定されている。また、ヒートシンク７４の底面は、下内面の面積の少なくとも３０％以上の面積を有している。ヒートシンク７４と下内面との接触面積は、ＣＰＵ（後述：５０）のスペックが高いほど広い方がよい。
【００３２】
次に、箱形コンピュータ１００の機能を説明する。
図４は、箱形コンピュータ１００の機能を示す機能ブロック図である。
【００３３】
ＣＰＵカード７２は、図４に示すように、プログラムおよび入力装置（不図示）からの入力内容に基づいて演算を行うとともにシステム全体を制御するＣＰＵ５０と、ＣＰＵ５０のプログラムを記憶するＲＯＭ５２と、ＣＰＵ５０の演算結果を記憶するＲＡＭ５４と、フラッシュメモリ等からなるＩＤＥディスク５６と、チップセット５８とを有して構成されている。
【００３４】
チップセット５８は、ＣＰＵ５０、ＲＯＭ５２、ＲＡＭ５４、ＩＤＥディスク５６その他の素子の間でデータの伝送を媒介するほか、ＲＡＭ５４の演算結果に基づいて表示装置（不図示）を制御する。
【００３５】
キャリアカード７０は、チップセット５８からの通信データとＬＡＮ信号とを相互に変換するインターフェース変換部３２と、インターフェース変換部３２との間でＬＡＮ信号を入出力するＬＡＮコネクタ２４とを有して構成されている。ＬＡＮコネクタ２４には、ＬＡＮケーブルを介してネットワーク機器が接続される。ネットワーク機器としては、例えば、ハブ、ブリッジ、ルータ、サーバ、クライアント、プリンタ、ＦＡＸおよびネットワークストレージが接続される。そして、ＬＡＮコネクタ２４とネットワーク機器との間では、ＬＡＮ信号が入出力される。
【００３６】
キャリアカード７０は、さらに、チップセット５８からのデータとＵＳＢ信号とを相互に変換するインターフェース変換部３４と、インターフェース変換部３４との間でＵＳＢ信号を入出力するＵＳＢコネクタ２６ａ、２６ｂとを有して構成されている。ＵＳＢコネクタ２６ａ、２６ｂには、ＵＳＢケーブルを介してＵＳＢ機器が接続される。ＵＳＢ機器としては、例えば、キーボードやマウス等の入力装置、ＣＤ／ＤＶＤドライブ、ハードディスクおよびプリンタが接続される。そして、ＵＳＢコネクタ２６ａ、２６ｂとＵＳＢ機器との間では、ＵＳＢ信号が入出力される。
【００３７】
キャリアカード７０は、さらに、チップセット５８からの表示データを画像信号に変換するインターフェース変換部３６と、インターフェース変換部３６からの画像信号を出力するディスプレイコネクタ２８とを有して構成されている。ディスプレイコネクタ２８には、ディスプレイケーブルを介してＬＣＤ（Liquid Crystal Display）等の表示装置が接続される。そして、ディスプレイコネクタ２８から表示装置へは、画像信号が出力される。
【００３８】
キャリアカード７０は、さらに、電源コネクタ３０と、ＤＣ／ＤＣコンバータ３８と、着脱可能なメモリ４０とを有して構成されている。ＤＣ／ＤＣコンバータ３８は、電源コネクタ３０から入力した直流電力を所定電圧の直流電力に変換し、変換して得られた直流電力をＣＰＵ５０、チップセット５８その他の素子に供給する。
【００３９】
次に、箱形コンピュータ１００の設置方法を説明する。
クライアントとして用いられるデスクトップ型コンピュータ等の内部には、３．５インチベイが設けられている。３．５インチベイには、コンピュータの機能を将来的に拡張するため、いくつかの空き領域が用意されている。そこで、３．５インチベイの空き領域の一つに箱形コンピュータ１００を挿入し、筐体の両側面および３．５インチベイを６つの雄ねじにより固定することにより、箱形コンピュータ１００を３．５インチベイに取り付ける。
【００４０】
クライアントの前面には、３．５インチベイの前面側を覆う前面パネルが取り付けられている。筐体の前面には、ＬＡＮコネクタ２４、ＵＳＢコネクタ２６ａ、２６ｂおよびディスプレイコネクタ２８が設けられているので、前面パネルを取り外すと、ＬＡＮコネクタ２４、ＵＳＢコネクタ２６ａ、２６ｂおよびディスプレイコネクタ２８がクライアントの前面に露出する。これにより、ＬＡＮケーブル、ＵＳＢケーブルおよびディスプレイケーブルをクライアントの前面から接続することができる。
【００４１】
一方、筐体の背面には、電源コネクタ３０が設けられているので、コネクタ変換プラグを電源コネクタ３０に接続する。これにより、クライアントの内部に設けられている電源の電源ケーブルをコネクタ変換プラグに接続することができる。
【００４２】
そして、箱形コンピュータ１００にサーバ用のＯＳ（Operating System）をインストールすれば、サーバとして稼働させることができる。
【００４３】
このようにして、本実施の形態では、箱形コンピュータ１００は、３．５インチ型のハードディスクの外形と同一の形状および寸法の筐体と、筐体内に収容された汎用コンピュータとを備える。
【００４４】
これにより、３．５インチベイに取り付けることができるので、３．５インチベイの空き領域を有効に活用することができる。また、クライアントの内部で転倒したり落下したりする可能性を低減することができる。さらに、周辺機器等の上に直接設置する必要がないので、周辺機器等の発熱や振動により故障する可能性を低減することができる。
【００４５】
また、３．５インチベイには、通常、クライアントにより従属的に使用される周辺機器等が設置されるのに対し、クライアントとは別に主として使用される汎用コンピュータを設置することにより、コンピュータの使用方法に拡張性および応用性を持たせることができる。これは、従来、汎用コンピュータをクライアントとは別に設置するという思想が支配するなかで、本考案者が、汎用コンピュータをクライアントの内部に設置するという斬新な思想に想到し得てこそ実現することができたものである。
【００４６】
さらに、本実施の形態では、ヒートシンク７４が筐体の内面に面接触している。
これにより、筐体を通じてＣＰＵ５０の放熱を効果的に行うことができる。したがって、ＣＰＵ５０のスペックによっては、放熱のための凹凸を筐体の表面に設けなくてもすむので、筐体の内部スペースを大きくすることができる。また、ＣＰＵ５０のスペックによっては、放熱のための通風口を筐体の表面に設けなくてもすむので、防塵性および防滴性を向上することができる。
【００４７】
さらに、本実施の形態では、筐体の表面が平坦となっている。
これにより、筐体の内部スペースを大きくすることができる。
【００４８】
さらに、本実施の形態では、筐体が密閉構造となっている。
これにより、防塵性および防滴性を向上することができる。
【００４９】
さらに、本実施の形態では、ヒートシンク７４が下内面に面接触している。
これにより、箱形コンピュータ１００を３．５インチベイに取り付けた場合、筐体の底面が３．５インチベイに接触することとなる一方、ヒートシンク７４が下内面に面接触しているので、筐体および３．５インチベイを通じてＣＰＵ５０の放熱を行うことができる。したがって、ＣＰＵ５０の放熱をさらに効果的に行うことができる。
【００５０】
さらに、本実施の形態では、電源コネクタ３０は、ＬＡＮコネクタ２４、ＵＳＢコネクタ２６ａ、２６ｂおよびディスプレイコネクタ２８が露出する筐体の面とは反対側の面に設けられている。
【００５１】
これにより、ＬＡＮコネクタ２４、ＵＳＢコネクタ２６ａ、２６ｂおよびディスプレイコネクタ２８を介して伝送されるデータが電源ノイズの影響を受ける可能性を低減することができる。
【００５２】
さらに、本実施の形態では、電源コネクタ３０は、筐体の中心に対し、ＬＡＮコネクタ２４と点対称の位置に設けられている。
【００５３】
これにより、高速なデータ伝送を行うＬＡＮ信号が電源ノイズの影響を受ける可能性をさらに低減することができる。
【００５４】
さらに、本実施の形態では、筐体の前面に、ＬＡＮコネクタ２４、ＵＳＢコネクタ２６ａ、２６ｂおよびディスプレイコネクタ２８が設けられている。
【００５５】
これにより、ＬＡＮケーブル、ＵＳＢケーブルおよびディスプレイケーブルをクライアントの前面から接続することができるので、接続が容易となる。
【００５６】
本実施の形態において、ＵＳＢコネクタ２６ａ、２６ｂは、考案１または４の第１インターフェースに対応し、ディスプレイコネクタ２８は、考案１または４の第２インターフェースに対応し、ＣＰＵ５０は、考案１または２の演算手段に対応し、ＲＯＭ５２は、考案１の第１記憶手段に対応している。また、ＲＡＭ５４は、考案１の第２記憶手段に対応し、チップセット５８は、考案１の表示制御手段に対応し、入力装置は、考案１の入力手段に対応し、表示装置は、考案１の表示手段に対応している。
【００５７】
なお、上記実施の形態においては、２つのＵＳＢコネクタ２６ａ、２６ｂを設けたが、これに限らず、ＵＳＢコネクタは、１つだけ設けてもよいし、３つ以上設けてもよい。
【００５８】
また、上記実施の形態において、筐体の前面には、右から順に、ＬＡＮコネクタ２４、ＵＳＢコネクタ２６ａ、２６ｂおよびディスプレイコネクタ２８を設けたが、これに限らず、並びは任意でよい。また、ＬＡＮコネクタ２４、ＵＳＢコネクタ２６ａ、２６ｂまたはディスプレイコネクタ２８のいずれかを筐体の背面に設けてもよい。
【００５９】
また、上記実施の形態においては、ディスプレイコネクタ２８としてＨＤＭＩ端子を用いたが、これに限らず、Ｄ−Ｓｕｂ１５ピン端子、ＶＧＡ端子その他の規格の端子を用いることができる。
【００６０】
また、上記実施の形態においては、ヒートシンク７４の高さは、ヒートシンク７４の底面が下内面に面接触するように設定したが、個体差により、ヒートシンク７４の底面が下内面に面接触しないことも想定される。そこで、キャリアカード７０、ＣＰＵカード７２またはヒートシンク７４のいずれかに対して、バネ、ゴム、スポンジ等の弾性体により上下方向に弾性を持たせるとともに、ヒートシンク７４の底面の位置（弾性の均衡点の位置）が上部筐体１０よりも突出するように設定しておく。これにより、個体差が生じても、弾性体によりヒートシンク７４の底面を下内面に確実に面接触させることができる。
【００６１】
また、上記実施の形態において、筐体の両側面には、箱形コンピュータ１００を３．５インチベイに固定するための雄ねじを螺合する雌ねじを形成したが、この場合、ヒートシンク７４に連接する雌ねじとして形成することが好ましい。これにより、筐体の両側面および３．５インチベイを雄ねじにより固定すると、雄ねじがヒートシンク７４に接触するので、雄ねじを通じてＣＰＵ５０の放熱を行うことができる。したがって、ＣＰＵ５０の放熱をさらに効果的に行うことができる。
【００６２】
また、上記実施の形態において、電源コネクタ３０は、ＬＡＮコネクタ２４等が露出する筐体の面とは反対側の面に設けたが、これに限らず、ＬＡＮコネクタ２４等が露出する筐体の面と同一の面に設けてもよい。これにより、電源ケーブルをクライアントの前面から接続することができるので、接続が容易となる。この場合、電源ノイズの影響を低減する観点から、高速なインターフェースほど電源コネクタ３０から隔離することが好ましい。また、インターフェースとの間に電磁遮蔽を施すことも好ましい。
【００６３】
また、上記実施の形態においては、本考案をクライアントの内部に組み込む場合について適用したが、これに限らず、本考案の主旨を逸脱しない範囲で他の場合にも適用可能である。本考案の応用分野としては、例えば、自動車、交通システム、ロボット、工作機械、電子看板またはオーディオシステム等の組込システムが考えられる。
【符号の説明】
【００６４】
１００…箱形コンピュータ、  １０…上部筐体、  １２…下部筐体、  １４、１６、１８…開口部、  ２４…ＬＡＮコネクタ、  ２６ａ、２６ｂ…ＵＳＢコネクタ、  ２８…ディスプレイコネクタ、  ３０…電源コネクタ、  ５０…ＣＰＵ、  ５２…ＲＯＭ、  ５４…ＲＡＭ、  ５６…ＩＤＥディスク、  ５８…チップセット、  ３２、３４、３６…インターフェース変換部、  ３８…ＤＣ／ＤＣコンバータ、  ４０…メモリ、  ７０…キャリアカード、  ７２…ＣＰＵカード、  ７４…ヒートシンク
【図１】
0003157041.tif 000003
【図２】
0003157041.tif 000004
【図３】
0003157041.tif 000005
【図４】
0003157041.tif 000006